【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  遊技プログラムに従って動作する前に、当該遊技プログラムの正当性を判定し、この判定結果が真の場合に前記遊技プログラムに処理を渡す遊技用演算処理装置を備えた遊技機において、
前記遊技用演算処理装置は、
前記遊技プログラムの正当性判定結果を示す判定情報を格納する第１格納手段と、
前記遊技用演算処理装置に割り当てられたユニークな識別情報を格納する第２格納手段と、
前記遊技用演算処理装置との間で信号の授受を可能とするように接続された外部装置からの情報要求信号に基づいて、前記第１格納手段に格納された判定情報と前記第２格納手段に格納された識別情報とを当該外部装置へ送信する情報送信手段と、
を備えていることを特徴とする遊技機。
【請求項２】  前記遊技用演算処理装置は、さらに、前記外部装置からの動作停止要求信号に基づいて、前記遊技プログラムによる処理を停止させる処理停止手段を備えていることを特徴とする請求項１記載の遊技機。
【請求項３】  遊技プログラムに従い遊技制御を行う遊技ブロックと情報管理を行う管理ブロックとに区分され、該遊技プログラムに従って動作する前に、当該遊技プログラムの正当性を判定し、この判定結果が真の場合に前記遊技プログラムに処理を渡す遊技用演算処理装置を備えた遊技機において、
前記管理ブロックは、
前記遊技用演算処理装置に割り当てられたユニークな識別情報を書き換え不能に格納する識別情報格納手段と、
格納内容を電源オンの期間中保持する期間保持情報格納手段と、
該遊技用演算処理装置のシステムリセット後に初期化処理を実行する初期化処理手段と、
前記初期化処理を実行した後、前記遊技ブロックによる前記遊技プログラムの正当性判定処理の実行を指示する正当性判定処理実行指示手段と、
前記正当性判定処理の実行指示後に、前記遊技用演算処理装置との間で信号の授受を可能とするように接続された外部装置からの通信待ち受け処理を実行する通信待ち受け処理実行手段と、を備え、
前記遊技ブロックは、
前記管理ブロックからの指示に基づいて前記正当性判定処理を実行する正当性判定処理実行手段と、
前記正当性判定処理の判定結果が正当であれば遊技プログラムを実行する遊技プログラム実行手段と、
前記正当性判定処理の判定結果が不当であれば該遊技ブロックの制御を停止する遊技ブロック制御停止手段と、を備え、
前記初期化処理手段は、前記識別情報格納手段が格納する識別情報を前記期間保持情報記憶手段にコピーして格納するコピー格納手段を備え、
前記正当性判定処理実行手段は、正当性判定結果を前記期間保持情報記憶手段に格納する正当性判定結果格納手段を備え、
前記通信待ち受け処理実行手段は、前記外部装置からの情報要求信号の受付により、前記期間保持情報記憶手段が記憶する識別情報及び正当性判定結果を前記外部装置へ送信する情報送信手段を備えることを特徴とする遊技機。
【請求項４】  前記通信待ち受け処理実行手段は、
前記外部装置からの動作停止要求信号の受付により、前記遊技プログラム実行手段による前記遊技プログラムの実行を停止させる実行停止手段を備えることを特徴とする請求項３記載の遊技機。
【手続補正２】
【補正対象書類名】明細書
【補正対象項目名】０００６
【補正方法】変更
【補正の内容】
【０００６】
【課題を解決するための手段】
上記目的を達成するため、請求項１に記載の発明に係る遊技機は、遊技プログラムに従って動作する前に、当該遊技プログラムの正当性を判定し、この判定結果が真の場合に前記遊技プログラムに処理を渡す遊技用演算処理装置を備えた遊技機において、
前記遊技用演算処理装置は、
前記遊技プログラムの正当性判定結果を示す判定情報を格納する第１格納手段と、
前記遊技用演算処理装置に割り当てられたユニークな識別情報を格納する第２格納手段と、
前記遊技用演算処理装置との間で信号の授受を可能とするように接続された外部装置からの情報要求信号に基づいて、前記第１格納手段に格納された判定情報と前記第２格納手段に格納された識別情報とを当該外部装置へ送信する情報送信手段と、
を備えていることを特徴とする。
また、請求項１記載の発明に従属する請求項２記載の発明は、前記遊技用演算処理装置は、さらに、前記外部装置からの動作停止要求信号に基づいて、前記遊技プログラムによる処理を停止させる処理停止手段を備えていることを特徴とする。
請求項３に記載の発明に係る遊技機は、遊技技プログラムに従い遊技制御を行う遊技ブロックと情報管理を行う管理ブロックとに区分され、該遊技プログラムに従って動作する前に、当該遊技プログラムの正当性を判定し、この判定結果が真の場合に前記遊技プログラムに処理を渡す遊技用演算処理装置を備えた遊技機において、
前記管理ブロックは、
前記遊技用演算処理装置に割り当てられたユニークな識別情報を書き換え不能に格納する識別情報格納手段と、
格納内容を電源オンの期間中保持する期間保持情報格納手段と、
該遊技用演算処理装置のシステムリセット後に初期化処理を実行する初期化処理手段と、
前記初期化処理を実行した後、前記遊技ブロックによる前記遊技プログラムの正当性判定処理の実行を指示する正当性判定処理実行指示手段と、
前記正当性判定処理の実行指示後に、前記遊技用演算処理装置との間で信号の授受を可能とするように接続された外部装置からの通信待ち受け処理を実行する通信待ち受け処理実行手段と、を備え、
前記遊技ブロックは、
前記管理ブロックからの指示に基づいて前記正当性判定処理を実行する正当性判定処理実行手段と、
前記正当性判定処理の判定結果が正当であれば遊技プログラムを実行する遊技プログラム実行手段と、
前記正当性判定処理の判定結果が不当であれば該遊技ブロックの制御を停止する遊技ブロック制御停止手段と、を備え、
前記初期化処理手段は、前記識別情報格納手段が格納する識別情報を前記期間保持情報記憶手段にコピーして格納するコピー格納手段を備え、
前記正当性判定処理実行手段は、正当性判定結果を前記期間保持情報記憶手段に格納する正当性判定結果格納手段を備え、
前記通信待ち受け処理実行手段は、前記外部装置からの情報要求信号の受付により、前記期間保持情報記憶手段が記憶する識別情報及び正当性判定結果を前記外部装置へ送信する情報送信手段を備えることを特徴とする。
また、請求項３記載の発明に従属する請求項４記載の発明は、前記通信待ち受け処理実行手段は、
前記外部装置からの動作停止要求信号の受付により、前記遊技プログラム実行手段による前記遊技プログラムの実行を停止させる実行停止手段を備えることを特徴とする。
【手続補正３】
【補正対象書類名】明細書
【補正対象項目名】００８１
【補正方法】変更
【補正の内容】
【００８１】
【発明の効果】
【発明の効果】
請求項１及び３記載の発明によれば、外部装置からの情報要求信号に基づいて、その外部装置に対して、第１格納手段と第２格納手段の格納情報、すなわち、遊技プログラムの正当性判定結果を示す判定情報と、遊技用演算処理装置に割り当てられたユニークな識別情報とが外部装置へ送信される。
したがって、外部装置側で、あらかじめ判定用識別情報を保持しておき、この判定用識別情報と遊技機から送信された識別情報とを比較することにより、遊技機の不正を確実に判定できる。さらに、遊技機から送信された判定情報に基づいて遊技プログラムの正当性も知ることができる。その結果、不正を判定した場合は、外部装置側で報知等の所要の処置を講じることができ、ホールの経済的損失を回避することができる。
請求項２及び４記載の発明によれば、外部装置からの動作停止要求信号に基づいて、遊技プログラムによる処理が停止させられる。
したがって、例えば、外部装置側で不正を判定した場合に、当該外部装置から遊技機に対して動作停止要求信号を送出することにより、遊技機の遊技制御を停止して、遊技店の経済的損失を確実に回避できるとともに、遊技者への迷惑も回避することができる。